(57)【要約】【課題】液体噴射ヘッドのノズルに残存して固形化したインクを除去する効果が高い液体噴射ヘッドの清掃装置、および、この清掃装置を備えた液体噴射装置を提供する。【解決手段】液体噴射ヘッド２１の清掃装置は、ノズル形成面２１ａに形成されたノズル６３からインクを噴射する液体噴射ヘッド２１のノズル形成面２１ａに接触することにより、液体噴射ヘッド２１を清掃可能な清掃部材５０を備えている。清掃部材５０における液体噴射ヘッド２１の清掃時にノズル形成面２１ａに接触する部分には、複数の毛５２ａを立毛させた立毛部５２が形成されている。【選択図】図５
2015089658.tif 000002
【特許請求の範囲】
【請求項１】
ノズル形成面に形成されたノズルから液体を噴射する液体噴射ヘッドの前記ノズル形成面を含む領域に接触することにより、前記液体噴射ヘッドを清掃可能な清掃部材を備えた液体噴射ヘッドの清掃装置であって、
前記清掃部材における前記液体噴射ヘッドの清掃時に前記ノズル形成面に接触する部分には、複数の毛を立毛させた立毛部が形成されていることを特徴とする液体噴射ヘッドの清掃装置。
【請求項２】
立毛した前記毛の太さが、前記ノズルの開口寸法よりも小さく、立毛した前記毛の長さが、前記ノズルに進入可能な長さであることを特徴とする請求項１に記載の液体噴射ヘッドの清掃装置。
【請求項３】
前記清掃部材が、布帛であり、立毛した前記毛が、２０μｍよりも小さな直径を有する繊維により形成されていることを特徴とする請求項１または２に記載の液体噴射ヘッドの清掃装置。
【請求項４】
液体をノズルから噴射する液体噴射ヘッドと、
請求項１〜３のいずれか一項に記載の液体噴射ヘッドの清掃装置とを備えたことを特徴とする液体噴射装置。
【請求項５】
前記液体噴射ヘッドの前記ノズル形成面、および、前記清掃部材の少なくとも一方にクリーニング液を供給するクリーニング液供給機構を備えたことを特徴とする請求項４に記載の液体噴射装置。
【発明の詳細な説明】
【技術分野】
【０００１】
本発明は、液体噴射ヘッドの清掃装置、および、この清掃装置を備えた液体噴射装置に関する。
【背景技術】
【０００２】
液体噴射装置の一種として、インクジェット式のプリンターが知られている。このプリンターは、液体であるインクを噴射可能な液体噴射ヘッド、および、この液体噴射ヘッドの清掃を行う清掃装置を有している。液体噴射ヘッドは、そのノズル形成面に形成された複数のノズルから用紙等の被噴射媒体に向けてインクを噴射することにより、被噴射媒体上に画像を形成する。清掃装置は、ノズル形成面に付着したインクを払拭することにより、液体噴射ヘッドを清掃する。
【０００３】
特許文献１は、液体噴射ヘッドの清掃装置の一例を開示している。この清掃装置によれば、インクが付着したノズル形成面に布テープの一部を接触させることにより、ノズル形成面からインクを払拭可能である。
【先行技術文献】
【特許文献】
【０００４】
【特許文献１】特開２００１−２６０３６８号公報
【発明の概要】
【発明が解決しようとする課題】
【０００５】
ところで、上記プリンターによれば、例えば、用紙の紙粉がノズルに付着することにより、ノズルが目詰まりすることがある。そして、ノズルが目詰まりしたプリンターが継続的に使用された場合には、ノズルに残留しているインクが熱履歴によって固形化することがある。
【０００６】
こうした場合に、特許文献１の清掃装置では、液体噴射ヘッドのノズル形成面に布テープを接触させてインクを払拭するため、すなわち、布テープがノズルにまでは進入しないため、ノズルに残存して固形化したインク（以下、固形物）を除去できず、目詰まりを解消できないおそれがある。
【０００７】
本発明の目的は、液体噴射ヘッドのノズルに残存した固形物を除去する効果が高い液体噴射ヘッドの清掃装置、および、この清掃装置を備えた液体噴射装置を提供することである。
【課題を解決するための手段】
【０００８】
以下、上記課題を解決するための手段及びその作用効果について記載する。
上記課題を解決する液体噴射ヘッドの清掃装置は、ノズル形成面に形成されたノズルから液体を噴射する液体噴射ヘッドの前記ノズル形成面を含む領域に接触することにより、前記液体噴射ヘッドを清掃可能な清掃部材を備えた液体噴射ヘッドの清掃装置であって、前記清掃部材における前記液体噴射ヘッドの清掃時に前記ノズル形成面に接触する部分には、複数の毛を立毛させた立毛部が形成されている。
【０００９】
立毛した毛は、微細な空間に入り込みやすい。このため、上記清掃装置によれば、清掃部材が液体噴射ヘッドのノズル形成面を含む領域に接触したとき、立毛部の立毛した毛の
先端がノズルに入り込み、ノズルに残存して固形化した状態にある液体に衝突する。このため、ノズルに残存している液体の固形化状態が立毛部との衝突により物理的に破壊され、その後において、例えばノズルに負圧を作用させた場合には、ノズルから液体が外部に排出されやすくなる。したがって、液体噴射ヘッドのノズルに残存して固形化した液体を除去する効果を高めることができる。
【００１０】
上記液体噴射ヘッドの清掃装置においては、立毛した前記毛の太さが、前記ノズルの開口寸法よりも小さく、立毛した前記毛の長さが、前記ノズルに進入可能な長さであることが好ましい。
【００１１】
この構成によれば、清掃部材に形成された立毛部の立毛した毛は、液体噴射ヘッドの清掃時に清掃部材がノズル形成面を含む領域に接触したとき、ノズルに容易に進入する。このため、液体噴射ヘッドの清掃時に清掃装置は、立毛した毛をノズルに残存して固形化した液体に衝突させやすくなる。
【００１２】
上記液体噴射ヘッドの清掃装置においては、前記清掃部材が布帛であり、立毛した前記毛が２０μｍよりも小さな直径を有する繊維により形成されていることが好ましい。
この構成によれば、立毛部の立毛した毛は、液体噴射ヘッドの清掃時にノズルに進入しやすくなる。また、清掃部材が液体噴射ヘッドのノズル形成面を含む領域に接触することにより、液体噴射ヘッドのノズルおよびノズル形成面に残留している液体を吸収する。このため、液体噴射ヘッドの清掃効果を高めることができる。
【００１３】
また、上記課題を解決する液体噴射装置は、液体をノズルから噴射する液体噴射ヘッドと、上記構成を有する液体噴射ヘッドの清掃装置を備える。
この構成によれば、液体噴射ヘッドのノズルに残存して固形化した液体を除去する効果を高めることができる液体噴射装置が得られる。
【００１４】
上記液体噴射装置は、前記液体噴射ヘッドの前記ノズル形成面、および、前記清掃部材の少なくとも一方にクリーニング液を供給するクリーニング液供給機構を備えることが好ましい。
【００１５】
この構成によれば、クリーニング液供給機構は、液体噴射ヘッドのノズルに残存して固形化した液体をクリーニング液で湿らせることにより固形化した状態を軟化させることができる。このため、液体噴射装置は、液体噴射ヘッドの清掃時に、立毛部の立毛した毛を衝突させて固形化した液体を容易に破壊することができるので、液体噴射ヘッドのノズルに残存して固形化した液体を除去する効果を高めることができる。
【図面の簡単な説明】
【００１６】
【図１】実施形態のインクジェト式プリンターの斜視図。
【図２】実施形態のインクジェト式プリンターの液体噴射ヘッドの概略構成図。
【図３】実施形態のインクジェト式プリンターの清掃装置の模式図。
【図４】実施形態のインクジェト式プリンターの清掃部材の構成図。
【図５】実施形態のインクジェト式プリンターの液体噴射ヘッドの要部拡大構成図。
【図６】（ａ）は変形例の清掃部材カセットの一例を示す模式図、（ｂ）は他の変形例の清掃部材カセットの一例を示す模式図。
【図７】（ａ）は変形例の起毛部材を有する清掃部材カセットの一例を示す模式図、（ｂ）は他の変形例の起毛部材を有する清掃部材カセットの一例を示す模式図。
【発明を実施するための形態】
【００１７】
以下、液体噴射装置をインクジェット式プリンター（以下、「プリンター」と略す場合
もある）に具体化した実施形態について、図を参照しながら説明する。
図１に示すように、プリンター１１において略矩形箱状をなす本体ケース１２の内側であって重力方向となる下部には、略矩形板状をなす支持台１３がその長手方向を主走査方向Ｘに一致させた状態で設けられている。この支持台１３上には、本体ケース１２の背面下部に設けられた紙送りモーター１４の駆動に基づいて、用紙Ｐが主走査方向Ｘと交差する副走査方向Ｙに給送される。また、本体ケース１２内における支持台１３の上方には、支持台１３の長手方向と平行に延びる棒状のガイド軸１５が設けられている。ガイド軸１５には、その軸線方向に往復移動可能な状態でキャリッジ１６が支持されている。
【００１８】
本体ケース１２の背面側の壁部の内面におけるガイド軸１５の両端部と対応する各位置には、駆動プーリー１７及び従動プーリー１８が回動自在に支持されている。駆動プーリー１７には、キャリッジ１６を往復移動させる際の駆動源となるキャリッジモーター１９の出力軸が連結されている。また、駆動プーリー１７及び従動プーリー１８の間には、一部がキャリッジ１６に連結された無端状のタイミングベルト２０が掛装されている。したがって、キャリッジ１６は、ガイド軸１５にガイドされながら、キャリッジモーター１９の駆動力により無端状のタイミングベルト２０を介して主走査方向Ｘに移動可能とされている。
【００１９】
キャリッジ１６において支持台１３と対向する下面側には、液体噴射ヘッド２１が設けられている。一方、キャリッジ１６には、液体噴射ヘッド２１に対して供給する液体であるインクを貯留する複数のインクカートリッジ２２が着脱可能に搭載されている。そして、液体噴射ヘッド２１は、その下面となるノズル形成面２１ａに形成されたノズル６３（図２参照）から、支持台１３上に給送された用紙Ｐに対して、インクカートリッジ２２から供給されたインクを噴射する。
【００２０】
また、本体ケース１２内において用紙Ｐが搬送される領域から外れた位置に設けられたホームポジションＨＰには、液体噴射ヘッド２１のメンテナンスを行なうためのメンテナンス装置２５が設けられている。
【００２１】
メンテナンス装置２５は、ヘッド吸引装置２６及び清掃装置３０を備えている。ヘッド吸引装置２６は、液体噴射ヘッド２１に対してノズル６３を囲うように当接するキャップ２７と、キャップ２７を通じて液体噴射ヘッド２１のノズル６３からインクを吸引して排出するために駆動されるポンプ（図示略）とを有している。清掃装置３０は、清掃部材カセット３１と、清掃部材カセット３１が着脱自在に装着されるカセットホルダー３２と、カセットホルダー３２を液体噴射ヘッド２１に対して相対的に移動させる駆動機構（図示略）を有している。
【００２２】
図２に示すように、本実施形態では、キャリッジ１６内に４色分のインクカートリッジ２２（２２Ｃ、２２Ｍ、２２Ｙ、２２Ｋ（２２Ｃ〜２２Ｋ））が備えられ、液体噴射ヘッド２１には、インクカートリッジ２２に対応した数のノズル６３（６３Ｃ〜６３Ｋ）が形成されている。また、キャリッジ１６は、図３に示すように、クリーニング液供給機構４０を備えている。クリーニング液供給機構４０は、増粘したり固形化したりしたインクの増粘状態および固形化状態を軟化させるためのクリーニング液を貯蔵する図示しないクリーニング液貯蔵タンク、および、クリーニング液を噴射する噴射部４１を有している。クリーニング液は、例えば、有機アミン、界面活性材、および、純水の混合液を用いて生成される。
【００２３】
インクカートリッジ２２内のインクは、液体噴射ヘッド２１に備えられた圧電素子（図示略）の駆動に伴ってインクカートリッジ２２から、第１流路２３（２３Ｃ〜２３Ｋ）を介して液体噴射ヘッド２１内へと供給される。そして、供給されたインクが、液体噴射ヘ
ッド２１内に設けられた第２流路２４（２４Ｃ〜２４Ｋ）を流動するとともに、液体噴射ヘッド２１の各ノズル６３から支持台１３上に給送された用紙Ｐに噴射されることにより印刷が行われる。
【００２４】
次に、この清掃装置３０の清掃に係る構成について、図３を参照して説明する。
図３に示すように、清掃部材カセット３１は、清掃部材カセット３１が装着されるカセットホルダー３２の移動方向でもある副走査方向Ｙと交差する主走査方向Ｘへ略水平に延びる軸線を有した一対の第１ローラー３４および第２ローラー３５を有している。この第１ローラー３４および第２ローラー３５の間には、液体噴射ヘッド２１のノズル６３が形成されたノズル形成面２１ａの全域に対応した幅寸法を有する長尺帯状の清掃部材５０が掛装されている。そして、この第１ローラー３４および第２ローラー３５のうち一方（ここでは第１ローラー３４）は、巻装した未使用の清掃部材５０を繰り出す繰り出しローラーとして機能する。また、この第１ローラー３４および第２ローラー３５のうち他方（ここでは第２ローラー３５）は、繰り出しローラーから巻き解かれて繰り出されたのち、清掃に使用された使用済みの清掃部材５０を巻き取る巻き取りローラーとして機能する。
【００２５】
また、清掃部材カセット３１には、第１ローラー３４から第２ローラー３５に至る清掃部材５０の繰り出し経路上に、弾性ローラー３６が設けられている。弾性ローラー３６は、第１ローラー３４及び第２ローラー３５と平行に延びており、その軸線方向両端が清掃部材カセット３１に設けられた軸受け部等によって、回動自在に支持されている。弾性ローラー３６は、例えば、スポンジにより周面部が構成されている。そして、この弾性ローラー３６には、清掃部材５０における第１ローラー３４に掛装された部分と第２ローラー３５に掛装された部分との中間部分が、重力方向Ｚとは反対方向側から巻き掛けられている。
【００２６】
清掃装置３０は、清掃部材カセット３１における弾性ローラー３６を重力方向Ｚ側及び反対方向側に移動可能とする機能（図５参照）を有している。この機能は、例えば弾性ローラー３６の軸受け部がカム機構との係合によって上下移動する可動軸受け部として構成されること等により実現される。図３は、そのような清掃部材カセット３１における弾性ローラー３６が重力方向Ｚとは反対方向に移動した状態が示されている。弾性ローラー３６は、重力方向Ｚとは反対方向に移動した位置をとるとき、清掃部材カセット３１の上面に形成された矩形状のカセット開口部３３を通じて清掃部材カセット３１の上面から上方に突出する。そのため、清掃部材５０における弾性ローラー３６に巻き掛けられた部分は、清掃部材カセット３１の上面から上方に突出する。また、清掃部材５０における弾性ローラー３６に巻き掛けられた周面の最上部は、液体噴射ヘッド２１の下面よりも上方に位置するとともに、繰り出し方向と直交する幅方向の全域は、清掃部材カセット３１のカセット開口部３３から清掃部材カセット３１の外側に露出している。
【００２７】
また、弾性ローラー３６は、軸受部に上下移動可能に保持されたその軸を、棒バネや圧縮コイルバネ等の弾性部材を用いて重力方向Ｚと反対方向に付勢することにより、清掃部材５０が清掃時にノズル形成面２１ａを含む領域と接触する際の押し付け荷重を調整してもよい。
【００２８】
図４に示すように、長尺帯状の清掃部材５０は、弾性ローラー３６に接する側とは反対側の面である接触側面５１に複数の毛５２ａが立毛した立毛部５２が形成されている。接触側面５１は、清掃部材５０が第１ローラー３４及び第２ローラー３５に掛装されて、液体噴射ヘッド２１を清掃するとき、液体噴射ヘッド２１のノズル形成面２１ａと接触する面である。清掃部材５０は、例えば、天然繊維や化学繊維などを材料とする布帛により構成されている。立毛部５２の複数の立毛した毛５２ａは、例えば、繊維により形成されている。立毛部５２の立毛した毛５２ａは、その太さがノズル６３の開口寸法よりも小さな
値であり、断面が円形である場合、その直径は、好ましくは、２０μｍ以下の値となるように形成されている。また、立毛部５２の立毛した毛５２ａは、ノズル６３に進入可能な長さとなるように形成されている。
【００２９】
図５に示すように、液体噴射ヘッド２１のヘッド本体６０は、第１流路２３からのインクを導入する第２流路２４の一部であるインク導入路６２を備えたインク供給部６１を有している。インク供給部６１は、ノズル形成面２１ａにインクを噴出するノズル６３が形成されている。
【００３０】
清掃装置３０は、液体噴射ヘッド２１を清掃するとき、主走査方向Ｘ及び副走査方向Ｙにおいて、カセット開口部３３から突出した清掃部材５０およびノズル６３が正対する位置にカセットホルダー３２および清掃部材カセット３１を移動させる。その後、清掃装置３０は、清掃部材カセット３１における弾性ローラー３６を図中白抜き矢印で示すように、重力方向Ｚ側及び反対側に移動させる動作を複数回繰り返す。すなわち、弾性ローラー３６は、清掃部材５０における第１ローラー３４に掛装された部分と第２ローラー３５に掛装された部分との中間部分を巻き掛けた状態で、図中二点鎖線で示す重力方向Ｚ側の位置である下位位置、および、実線で示す反対側の位置である上位位置の間を移動する。
【００３１】
弾性ローラー３６が上位位置に移動したとき、清掃部材５０において弾性ローラー３６に巻き掛けられカセット開口部３３から突出した部分は、立毛部５２が形成された接触側面５１が液体噴射ヘッド２１のノズル形成面２１ａに押し付けられる。弾性ローラー３６は、清掃部材５０が液体噴射ヘッド２１のノズル形成面２１ａに押し付けられることによって変形する。この結果、押し付けられた清掃部材５０の最上部において、弾性ローラー３６の軸方向を長手方向とする略矩形の当接領域ＷＰが形成される。従って、清掃部材５０において、当接領域ＷＰは清掃時にノズル形成面２１ａを含む領域と接触する。
【００３２】
一方、弾性ローラー３６が下位位置に移動したとき、清掃部材５０において弾性ローラー３６に巻き掛けられカセット開口部３３から突出した部分は、液体噴射ヘッド２１のノズル形成面２１ａから離反して、清掃部材５０およびノズル形成面２１ａは非接触状態となる。
【００３３】
つまり、清掃装置３０は、液体噴射ヘッド２１を清掃するとき、清掃部材５０においてカセット開口部３３から突出した部分を液体噴射ヘッド２１のノズル形成面２１ａに接触させて離反させる動作を複数回繰り返す。
【００３４】
その後、清掃装置３０は、弾性ローラー３６を上位位置とした状態で、図３に示すように、カセットホルダー３２を図中実線の位置から二点鎖線で示す位置まで副走査方向Ｙとは逆方向に移動させる。この結果、清掃部材５０においてカセット開口部３３から突出した部分は、図中白抜き矢印で示すように液体噴射ヘッド２１に対して相対的に移動する。そして清掃部材５０は、ノズル形成面２１ａに押し付けられながら移動することによって、形成された当接領域ＷＰがノズル形成面２１ａに沿って移動して払拭する。
【００３５】
なお、清掃部材５０によってノズル形成面２１ａを払拭する場合は、キャリッジ１６はガイド軸１５に沿ってホームポジションＨＰに移動させられる。また、図３に示すように、清掃部材カセット３１が払拭動作の初期位置に配置された状態では、キャリッジ１６がホームポジションＨＰ移動した状態において、液体噴射ヘッド２１は、弾性ローラー３６に対して副走査方向Ｙとは反対方向に距離をおいて配置される。
【００３６】
以下に、本実施形態の作用である清掃装置３０の清掃動作を説明する。以下の説明においては、ノズル６３の内部に固形物が生じている場合の清掃動作について記載している。
液体噴射ヘッド２１の清掃を行うとき、清掃装置３０は、清掃部材５０において弾性ローラー３６に巻き掛けられカセット開口部３３から突出した部分とクリーニング液供給機構４０の噴射部４１とが正対する位置にカセットホルダー３２を移動させる。そして、クリーニング液供給機構４０が、クリーニング液貯蔵タンクに蓄えられたクリーニング液を噴射部４１から噴出させる。この動作により、噴射部４１から噴出したクリーニング液は、清掃部材５０においてカセット開口部３３から突出した部分に供給される。
【００３７】
清掃装置３０は、図５に示されるように、弾性ローラー３６を下位位置と上位位置との間で移動させて、清掃部材５０において弾性ローラー３６に巻き掛けられた部分を液体噴射ヘッド２１のノズル形成面２１ａに接触させて離反させる動作を複数回繰り返す。
【００３８】
清掃部材５０は、弾性ローラー３６が上位位置近傍となるとき、当接領域ＷＰがノズル形成面２１ａに押し付けられる。このため、清掃部材５０においてカセット開口部３３から突出した部分の立毛部５２に立毛している、ノズル６３の開口寸法よりも小さな直径である毛５２ａの先端がノズル６３に進入する。先端がノズル６３に進入した毛５２ａは、弾性ローラー３６の下位位置から上位位置に向かう動きにともなって、ノズル６３内の固形物に衝突する。このため、ノズル６３内の固形物は、先端がノズル６３に進入した立毛部５２の毛５２ａとの衝突によって、破壊されて小片に分割される。なお、ノズル６３内の固形物は、清掃部材５０においてカセット開口部３３から突出した部分が接触することにより、クリーニング液が付与されて軟化されている。このため、ノズル６３内の固形物は、立毛した毛５２ａの衝突によって小片に分割され易くなっている。
【００３９】
引き続いて、清掃装置３０は、カセット開口部３３から突出した清掃部材５０の当接領域ＷＰが液体噴射ヘッド２１のノズル形成面２１ａと接触した状態で、清掃部材カセット３１を図３に示すように、副走査方向Ｙとは逆方向に移動させてノズル形成面２１ａを払拭する。この払拭によって、ノズル６３およびノズル形成面２１ａに残留したインクが、布帛により構成された清掃部材５０に吸収される。また、小片に分割されたノズル６３内の固形物の一部または全部が、清掃部材５０の移動にともなって、ノズル６３から排出される。
【００４０】
清掃部材５０を用いた払拭動作を終えると、キャリッジ１６は、ガイド軸１５に沿って液体噴射ヘッド２１のノズル６３がヘッド吸引装置２６のキャップ２７と当接する位置に移動される。そして、液体噴射ヘッド２１のノズル形成面２１ａにキャップ２７を当接させた状態でヘッド吸引装置２６が吸引動作を行うことにより、ノズル６３に負圧を作用させて、ノズル６３に残留した固形物の小片をインクと共に吸引する。
【００４１】
上記説明した実施形態によれば、以下の効果を得ることができる。
（１）清掃部材５０が液体噴射ヘッド２１のノズル形成面２１ａを含む領域に接触したとき、立毛部５２の立毛した毛５２ａの先端がノズル６３に入り込み、ノズル６３に残存して固形化した状態にあるインクの固形物に衝突する。このため、ノズル６３に残存している固形物が立毛部５２の毛５２ａとの衝突により物理的に破壊され、その後において、例えばノズル６３に負圧を作用させた場合には、ノズル６３から固形物が外部に排出されやすくなる。したがって、液体噴射ヘッド２１のノズル６３に残存した固形物を除去する効果を高めることができる。
【００４２】
（２）立毛部５２の立毛した毛５２ａの太さが、ノズル６３の開口寸法よりも小さく、立毛した毛５２ａの長さが、ノズル６３に進入可能な長さである。このため、清掃部材５０に形成された立毛部５２の立毛した毛５２ａは、液体噴射ヘッド２１の清掃時に清掃部材５０が液体噴射ヘッド２１のノズル形成面２１ａを含む領域に接触したとき、ノズル６３に容易に進入する。このため、液体噴射ヘッド２１の清掃時に清掃装置３０は、立毛し
た毛５２ａをノズル６３に残存した固形物に衝突させやすくなる。このため、液体噴射ヘッド２１の清掃装置３０は、立毛した毛５２ａを用いて、ノズル６３に残存した固形物を効果的に破壊することができる。
【００４３】
（３）清掃部材５０が布帛であり、立毛した毛５２ａが２０μｍよりも小さな直径を有する繊維により形成されている。このため、立毛部５２の立毛した毛５２ａは、液体噴射ヘッド２１の清掃時にノズル６３に進入しやすくなる。また、清掃部材５０が液体噴射ヘッド２１のノズル形成面２１ａに接触することにより、液体噴射ヘッド２１のノズル６３およびノズル形成面２１ａに残留しているインクを吸収する。このため、液体噴射ヘッド２１の清掃効果を高めることができる。
【００４４】
（４）インクジェット式プリンター１１は、液体をノズル６３から噴射する液体噴射ヘッド２１と、上記構成を有する液体噴射ヘッド２１の清掃装置３０を備える。このため、液体噴射ヘッド２１のノズル６３に残存した固形物を除去する効果を高めることができるインクジェット式プリンター１１が得られる。
【００４５】
（５）インクジェット式プリンター１１は、清掃部材５０にクリーニング液を供給するクリーニング液供給機構４０を備える。このため、インクジェット式プリンター１１は、液体噴射ヘッド２１のノズル６３に残存した固形物に清掃部材５０を介してクリーニング液を付与し、固形化した状態を軟化させることができる。このため、インクジェット式プリンター１１は、液体噴射ヘッド２１の清掃時に、立毛部５２の立毛した毛５２ａによって、インクが固形化した固形物を容易に破壊することができる。このため、インクジェット式プリンター１１は、液体噴射ヘッド２１のノズル６３に残存した固形物を除去する効果を高めることができる。
【００４６】
なお、上記実施形態は、以下のような別の実施形態に変更することもできる。
・上記実施形態において、立毛部５２の立毛した毛５２ａの先端がノズル６３に進入可能であれば、清掃部材５０は液体噴射ヘッド２１のノズル形成面２１ａに接触しなくてもよい。例えば、図５に示すように、ノズル形成面２１ａのノズル６３の周囲を囲むようにカバー部材６４を設けた場合、弾性ローラー３６による清掃部材５０のノズル形成面２１ａ方向への押し付け荷重の設定によっては、清掃部材５０が、ノズル形成面２１ａを含む領域としてのカバー部材６４にのみ接触することになる。この場合も、立毛部５２の立毛した毛５２ａの先端がノズル６３に入り込むように設定しておけば、清掃部材５０が液体噴射ヘッド２１のノズル形成面２１ａに接触した場合と同様の効果が得られる。また、清掃部材５０がノズル形成面２１ａに接触しない場合も、立毛部５２の立毛した毛５２ａがノズル形成面２１ａに接触することにより、ノズル形成面２１ａに残留したインクは、立毛部５２を介して清掃部材５０に吸収される。
【００４７】
・上記実施形態において、清掃装置３０は、液体噴射ヘッド２１を清掃するとき、清掃部材５０においてカセット開口部３３から突出した部分を液体噴射ヘッド２１のノズル形成面２１ａに接触させて離反させる動作を実施しなくてもよい。
【００４８】
・上記実施形態において、クリーニング液供給機構４０を、図３に２点鎖線で示すように、清掃部材カセット３１側に設け、清掃部材５０の繰り出しローラーとして機能している第１ローラー３４と弾性ローラー３６との間に巻き掛けられた部分にクリーニング液を噴射する等して付与してもよい。
【００４９】
・上記実施形態において、クリーニング液供給機構４０を備えなくてもよい。この場合、クリーニング液を清掃部材５０に予め含浸しておけばよい。
・上記実施形態において、清掃装置３０は、カセット開口部３３から突出した清掃部材
５０の当接領域ＷＰが液体噴射ヘッド２１のノズル形成面２１ａと接触した状態で、清掃部材５０を第１ローラー３４から繰り出しつつ、第２ローラー３５に巻き取りながら、清掃部材カセット３１を移動させてノズル形成面２１ａを払拭してもよい。このようにすれば、清掃部材５０の立毛部５２によるノズル６３に残存して固形化した状態にあるインクの固形物の破壊がより効果的に行われる。
【００５０】
・上記実施形態において、清掃部材カセット３１は、必ずしも、清掃部材５０が弾性ローラー３６に巻き掛けられる構成でなくてもよい。この変形例について、図６（ａ）および図６（ｂ）を参照して説明する。
【００５１】
図６（ａ）に示すように、清掃装置３０の清掃部材カセット３１は、第１ローラー３４および第２ローラー３５の間に掛装された清掃部材５０が上下移動可能な小平板３７に掛けられた構成を有している。清掃部材５０は、小平板３７に掛けられ、小平板３７の上方に位置する部分がカセット開口部３３から突出している。液体噴射ヘッド２１を清掃するとき、清掃部材５０は、小平板３７の上方に位置する部分が液体噴射ヘッド２１のノズル形成面２１ａに押し当てられる。
【００５２】
この構成によれば、清掃装置３０は、液体噴射ヘッド２１の清掃時に、液体噴射ヘッド２１のノズル形成面２１ａに清掃部材５０を広い接触面積でもって押し当てることができる。このため、清掃装置３０は、広範囲で清掃部材５０に立毛した毛をノズル６３内の固形物に衝突させることができる。このため、立毛した毛が固形物を破壊する効率を高めることができる。
【００５３】
図６（ｂ）に示すように、清掃装置３０の清掃部材カセット３１は、第１ローラー３４および第２ローラー３５の間に掛装された清掃部材５０が１対の上下移動可能な部材支持プーリー３８で持ち上げられている。また、清掃部材５０は、１対の部材支持プーリー３８で持ち上げられた部分がカセット開口部３３から突出している。液体噴射ヘッド２１を清掃するとき、清掃部材５０は、１対の部材支持プーリー３８の間に位置する部分が部材支持プーリー３８で持ち上げられて液体噴射ヘッド２１のノズル形成面２１ａに押し当てられる。
【００５４】
この構成によれば、清掃装置３０は、液体噴射ヘッド２１の清掃時に、液体噴射ヘッド２１のノズル形成面２１ａに清掃部材５０を柔らかなタッチで押し当てることができる。このため、ノズル６３の近傍に位置する立毛した毛がノズルに進入しやすくなる。
【００５５】
・上記実施形態において、清掃部材５０に立毛する毛は、必ずしも、繊維でなくてもよい。例えば、変形例の清掃部材５０に立毛する毛は、プラスチック等の高分子材料により形成される。
【００５６】
・上記実施形態において、インクジェット式プリンター１１は、清掃部材５０を液体噴射ヘッド２１のノズル形成面２１ａに押し当てて払拭した後に、つぎの動作を行う。インクジェット式プリンター１１は、液体噴射ヘッド２１の圧電素子、別途設けたインクカートリッジ２２や第１流路２３内のインクを加圧可能な加圧機構を駆動して、ノズル６３からインクを排出させる。このことにより、ノズル６３に残存している固形物を除去する効果をより高めることができる。
【００５７】
・上記実施形態において、清掃装置３０は、液体噴射ヘッド２１の清掃時に、液体噴射ヘッド２１のノズル列と交差する方向に清掃部材５０を移動させて液体噴射ヘッド２１のノズル形成面２１ａを払拭してもよい。
【００５８】
・上記実施形態において、清掃装置３０は、立毛部５２を有する清掃部材５０、および、立毛部を有していない第２清掃部材を有し、立毛部５２を有する清掃部材５０でノズル６３内の固形物を破壊した後に、第２清掃部材で液体噴射ヘッド２１のノズル形成面２１ａを払拭してもよい。
【００５９】
・上記実施形態において、クリーニング液供給機構４０を液体噴射ヘッド２１と対向する位置に設け、清掃部材５０によるノズル形成面２１ａの払拭動作の前に、ノズル形成面２１ａにクリーニング液を付与してもよい。この構成によっても、液体噴射ヘッド２１のノズル６３の固形化した状態のインクを軟化させることができる。
【００６０】
・上記実施形態において、図７（ａ）および（ｂ）に示すように、清掃部材カセット３１に、清掃部材５０の繰り出しローラーと弾性ローラー３６との間に巻き掛けられた部分と接触する起毛部材７０を設け、清掃部材５０によるノズル形成面２１ａの払拭動作の前に、清掃部材５０の立毛部５２の毛５２ａを起こすようにしてもよい。この構成によれば、巻装した状態で寝た状態の立毛部５２の毛５２ａを立毛させた状態でノズル６３に残存した固形物に衝突させることができる。起毛部材７０としては、図７（ａ）のような薄板状の部材や図７（ｂ）のような表面に粘着性を有する回転ローラーが採用できる。
【００６１】
・上記実施形態において、液体噴射装置は、インク以外の他の液体を噴射したり吐出したりする液体噴射装置であってもよい。なお、液体噴射装置から微小量の液滴となって吐出される液体の状態としては、粒状、涙状、糸状に尾を引くものも含むものとする。また、ここでいう液体は、液体噴射装置から噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状体を含むものとする。また、物質の一状態としての液体のみならず、顔料や金属粒子などの固形物からなる機能材料の粒子が溶媒に溶解、分散又は混合されたものなども含むものとする。液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。液体噴射装置の具体例としては、例えば、液晶ディスプレイ、ＥＬ（エレクトロルミネッセンス）ディスプレイ、面発光ディスプレイ、カラーフィルターの製造等に用いられる電極材や色材等の材料を分散又は溶解のかたちで含む液体を噴射する液体噴射装置がある。また、バイオチップ製造に用いられる生体有機物を噴射する液体噴射装置、精密ピペットとして用いられ試料となる液体を噴射する液体噴射装置、捺染装置やマイクロディスペンサー等であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置であってもよい。また、基板などをエッチングするために酸又はアルカリ等のエッチング液を噴射する液体噴射装置であってもよい。
【符号の説明】
【００６２】
１…インクジェット式プリンター（液体噴射装置）、２１…液体噴射ヘッド、２１ａ…ノズル形成面、３０…清掃装置、４０…クリーニング液供給機構、５０…清掃部材、５２…立毛部、５２ａ…毛、６３…ノズル。 
【図１】
2015089658.tif 000003
【図２】
2015089658.tif 000004
【図３】
2015089658.tif 000005
【図４】
2015089658.tif 000006
【図５】
2015089658.tif 000007
【図６】
2015089658.tif 000008
【図７】
2015089658.tif 000009